(57)【要約】【課題】  商品を陳列するための特に販売促進用の商品陳列棚であって、組立て工数が少なく組立てが容易で、組立て時間を短くすることができる商品陳列棚を提供する。【解決手段】  商品陳列棚Ａは、筒状に形成された筒状部２０を有する本体部１０と、容器状部５０、７０、９０と、各容器状部内に取り付けられた台部６０、８０、１００と、ポップ部１２０とを有している。容器状部５０、７０、９０は、本体部１０に取付け部材２００により取り付けられている。容器状部５０、７０、９０は、側壁部と底部とを有し、底部が折り畳み可能で全体として折り畳み可能となっている。これにより、台部を外せば容器状部５０、７０、９０を本体部１０に取り付けたまま折り畳むことが可能となる。【選択図】        図１
0003106807.tif 000002
【実用新案登録請求の範囲】
【請求項１】
商品を陳列するための商品陳列棚であって、
板状の背面部と、該背面部から連設された板状の右側側面部と、該背面部から連設された板状の左側側面部と、該右側側面部の下側部分と左側側面部の下側部分に連設された板状の正面部とを有し、該正面部の高さ方向の長さが右側側面部の高さ方向の長さ及び左側側面部の高さ方向の長さよりも短く形成されて、正面部よりも上側位置に、該背面部と該右側側面部と該左側側面部とにより囲まれた収納空間が形成された本体部と、
該本体部の該収納空間内に該本体部に取り付けられた棚部と、
を有することを特徴とする商品陳列棚。
【請求項２】
上記棚部が、容器状を呈する容器状部で、正面側と右側面側と左側面側と背面側に設けられた４つの側壁部と、各側壁部の下端から連設された底部構成部により構成された底部で、折り畳み可能な底部とを有する容器状部で、底部を折り畳むことにより折り畳み可能な容器状部を有することを特徴とする請求項１に記載の商品陳列棚。
【請求項３】
上記本体部の右側側面部と左側側面部に棚部を取り付けるための穴部が設けられているとともに、容器状部の右側面側の側壁部と左側面側の側壁部とに穴部が設けられていて、本体部に設けられた穴部と容器状部に設けられた穴部に取付け用部材を設けることにより容器状部が本体部に取り付けられていることを特徴とする請求項２に記載の商品陳列棚。
【請求項４】
上記容器状部に設けられた穴部が長穴状であることを特徴とする請求項３に記載の商品陳列棚。
【請求項５】
上記棚部には、容器状部内に着脱可能に設けられる台部で、陳列する商品を載置するための載置台部を有する台部が設けられていることを特徴とする請求項２又は３又は４に記載の商品陳列棚。
【請求項６】
商品を陳列するための商品陳列棚であって、
板状の背面部と、該背面部から連設された板状の右側側面部と、該背面部から連設された板状の左側側面部と、該右側側面部の下側部分と左側側面部の下側部分に連設された板状の正面部とを有し、該正面部の高さ方向の長さが右側側面部の高さ方向の長さ及び左側側面部の高さ方向の長さよりも短く形成されて、正面部よりも上側位置に、該背面部と該右側側面部と該左側側面部とにより囲まれた収納空間が形成された本体部と、
該本体部の該収納空間内に該本体部に着脱自在に取り付けられる棚部で、容器状を呈する容器状部で、正面側と右側面側と左側面側と背面側に設けられた４つの側壁部と、各側壁部の下端から連設された底部構成部により構成された底部で、折り畳み可能な底部とを有し、底部を折り畳むことにより折り畳み可能な容器状部と、容器状部内に着脱可能に設けられる台部で、背面側に傾斜した板状の載置台部を有する台部と、を有する棚部と、
を有し、
上記本体部の右側側面部と左側側面部に棚部を取り付けるための穴部が設けられているとともに、棚部の右側面側の側壁部と左側面側の側壁部とに長穴状の穴部が設けられていて、本体部に設けられた穴部と棚部に設けられた穴部に取付け用部材を設けることにより棚部が本体部に取り付けられていることを特徴とする商品陳列棚。
【請求項７】
上記側壁部が、側壁部の外側をなす板状の外側側面部と、側壁部の内側をなす板状の内側側面部と、外側側面部と上端と内側側面部の上端の間に設けられた帯状部とを有することを特徴とする請求項２又は３又は４又は５又は６に記載の商品陳列棚。
【請求項８】
上記本体部と棚部とは、段ボール材により形成されていることを特徴とする請求項１又は２又は３又は４又は５又は６又は７に記載の商品陳列棚。
【請求項９】
上記本体部の上端に取付け可能なポップ部で、板状を呈し、広告等の表示部を設けることが可能なポップ部が設けられていることを特徴とする請求項１又は２又は３又は４又は５又は６又は７又は８に記載の商品陳列棚。
【考案の詳細な説明】
【技術分野】
【０００１】
本考案は、商品を陳列する商品陳列棚に関するものである。
【背景技術】
【０００２】
従来から販売促進用の商品陳列棚で組立式のものが存在する。
【考案の開示】
【考案が解決しようとする課題】
【０００３】
しかし、従来の商品陳列棚においては、商品陳列棚を構成する各部材が細かく分かれており、組み立てる際に組立て工数が多くなり、組立てに時間が掛かるという問題があった。特に、組立て工数が多いため、組立て用の説明図を用意しても組立てが複雑で、容易に正しく組み立てることができず、正しく組み立てることができない場合には、強度不足により商品が落下する等の問題があった。
【０００４】
そこで、商品、特に販売促進用の商品を陳列するための陳列棚である販売促進用の商品陳列棚であって、組立て工数が少なく組立てが容易で、組立て時間を短くすることができる商品陳列棚を提供することを目的とするものである。
【課題を解決するための手段】
【０００５】
本考案は上記問題点を解決するために創作されたものであって、第１には、商品を陳列するための商品陳列棚であって、板状の背面部と、該背面部から連設された板状の右側側面部と、該背面部から連設された板状の左側側面部と、該右側側面部の下側部分と左側側面部の下側部分に連設された板状の正面部とを有し、該正面部の高さ方向の長さが右側側面部の高さ方向の長さ及び左側側面部の高さ方向の長さよりも短く形成されて、正面部よりも上側位置に、該背面部と該右側側面部と該左側側面部とにより囲まれた収納空間が形成された本体部と、該本体部の該収納空間内に該本体部に取り付けられた棚部と、を有することを特徴とする。
【０００６】
この第１の構成の商品陳列棚においては、本体部と棚部とを有するので、棚部を本体部に取り付けるのみで商品陳列棚を組み立てることができ、組立て工数が少なく容易に組立てを行なうことができる。また、本体部は、背面部と右側側面部と左側側面部と正面部とで全体に筒状に形成されているので、折り畳み可能であり、棚部も折り畳み可能な構成とすることにより、棚部を本体部に取り付けた状態でそのまま折り畳み可能とすることができ、保管や運搬が容易となる。
【０００７】
また、第２には、上記第１の構成において、上記棚部が、容器状を呈する容器状部で、正面側と右側面側と左側面側と背面側に設けられた４つの側壁部と、各側壁部の下端から連設された底部構成部により構成された底部で、折り畳み可能な底部とを有する容器状部で、底部を折り畳むことにより折り畳み可能な容器状部を有することを特徴とする。
【０００８】
この第２の構成によれば、容器状部も折り畳み可能であるので、棚部を本体部に取り付けた状態でそのまま折り畳み可能とすることができ、保管や運搬が容易となる。
【０００９】
また、第３には、上記第２の構成において、上記本体部の右側側面部と左側側面部に棚部を取り付けるための穴部が設けられているとともに、容器状部の右側面側の側壁部と左側面側の側壁部とに穴部が設けられていて、本体部に設けられた穴部と容器状部に設けられた穴部に取付け用部材を設けることにより容器状部が本体部に取り付けられていることを特徴とする。よって、取付け用部材により容器状部を容易に本体部に取り付けることが可能となる。
【００１０】
また、第４には、上記第３の構成において、上記容器状部に設けられた穴部が長穴状であることを特徴とする。このように容器状部に設けられた穴部が長穴状に形成されているので、容器状部を本体部に取り付けたままの状態で折り畳んでも、スムーズに折り畳みを行うことができる。
【００１１】
また、第５には、上記第２から第４までのいずれかの構成において、上記棚部には、容器状部内に着脱可能に設けられる台部で、陳列する商品を載置するための載置台部を有する台部が設けられていることを特徴とする。この台部には載置台部が設けられているので、この載置台部に商品を陳列することができる。また、台部を容器状部内に設けることにより、容器状部を容器状に保持させることができ、結果として、本体部も筒状の状態を保持させておくことができる。
【００１２】
また、第６には、商品を陳列するための商品陳列棚であって、板状の背面部と、該背面部から連設された板状の右側側面部と、該背面部から連設された板状の左側側面部と、該右側側面部の下側部分と左側側面部の下側部分に連設された板状の正面部とを有し、該正面部の高さ方向の長さが右側側面部の高さ方向の長さ及び左側側面部の高さ方向の長さよりも短く形成されて、正面部よりも上側位置に、該背面部と該右側側面部と該左側側面部とにより囲まれた収納空間が形成された本体部と、該本体部の該収納空間内に該本体部に着脱自在に取り付けられる棚部で、容器状を呈する容器状部で、正面側と右側面側と左側面側と背面側に設けられた４つの側壁部と、各側壁部の下端から連設された底部構成部により構成された底部で、折り畳み可能な底部とを有し、底部を折り畳むことにより折り畳み可能な容器状部と、容器状部内に着脱可能に設けられる台部で、背面側に傾斜した板状の載置台部を有する台部と、を有する棚部と、を有し、上記本体部の右側側面部と左側側面部に棚部を取り付けるための穴部が設けられているとともに、棚部の右側面側の側壁部と左側面側の側壁部とに長穴状の穴部が設けられていて、本体部に設けられた穴部と棚部に設けられた穴部に取付け用部材を設けることにより棚部が本体部に取り付けられていることを特徴とする。
【００１３】
この第６の構成においては、本体部と、容器状部と台部とからなる棚部とを有するので、容器状部を本体部に取り付けて、容器状部内に台部を取り付けるのみで商品陳列棚を組み立てることができ、組立て工数が少なく容易に組立てを行なうことができる。また、本体部は、背面部と右側側面部と左側側面部と正面部とで全体に筒状に形成されているので、折り畳み可能であり、棚部も折り畳み可能であるので、台部を取り外せば棚部を本体部に取り付けた状態でそのまま折り畳み可能とすることができ、保管や運搬が容易となる。また、容器状部に設けられた穴部が長穴状に形成されているので、容器状部を本体部に取り付けたままの状態で折り畳んでも、スムーズに折り畳みを行うことができる。さらに、この台部には載置台部が設けられているので、この載置台部に商品を陳列することができる。また、台部を容器状部内に設けることにより、容器状部を容器状に保持させることができ、結果として、本体部も筒状の状態を保持させておくことができる。
【００１４】
また、第７には、上記第２から第６までのいずれかの構成において、上記側壁部が、側壁部の外側をなす板状の外側側面部と、側壁部の内側をなす板状の内側側面部と、外側側面部と上端と内側側面部の上端の間に設けられた帯状部とを有することを特徴とする。これにより、側壁部が外側側面部と内側側面部とで二重に形成されるので、側壁部の強度を高くすることができる。
【００１５】
また、第８には、上記第１から第７までのいずれかの構成において、上記本体部と棚部とは、段ボール材により形成されていることを特徴とする。
【００１６】
また、第９には、上記第１から第８までのいずれかの構成において、上記本体部の上端に取付け可能なポップ部で、板状を呈し、広告等の表示部を設けることが可能なポップ部が設けられていることを特徴とする。
【考案の効果】
【００１７】
本考案に基づく商品陳列棚によれば、本体部と棚部とを有するので、棚部を本体部に取り付けるのみで商品陳列棚を組み立てることができ、組立て工数が少なく容易に組立てを行なうことができる。また、本体部は、背面部と右側側面部と左側側面部と正面部とで全体に筒状に形成されているので、折り畳み可能であり、棚部も折り畳み可能な構成とすることにより、棚部を本体部に取り付けた状態でそのまま折り畳み可能とすることができ、保管や運搬が容易となる。
【考案を実施するための最良の形態】
【００１８】
本考案においては、組立て工数が少なく組立てが容易で、組立て時間を短くすることができる商品陳列棚を提供するという目的を以下のようにして実現した。
【実施例１】
【００１９】
本考案に基づく商品陳列棚Ａは、図１〜図１４に示すように構成され、本体部１０と、棚部４０と、ポップ部１２０とを有していて、所定形状の段ボール材を組み立てることにより形成されている。
【００２０】
ここで、本体部１０は、筒状部２０と、補強部３０とを有している。つまり、筒状部２０は、図１〜図４、図８に示すように、側面部２２と、背面部２４と、側面部２６と、正面部２８とを有している。
【００２１】
ここで、側面部２２は、本体部１０の正面視において本体部１０の右側の側面を形成し、全体に板状を呈し、この側面部２２の背面側は垂直に立設した直線状に形成されているとともに、正面側は、その下側部においては垂直に立設した直線状を呈し、内側部においては傾斜部Ｋ１が形成され、また、上側部においては傾斜部Ｋ２が形成されている。つまり、側面部２２においては、下側部が方形状に形成され、下側部よりも上側の内側部は台形形状に形成され、内側部よりも上側の上側部は三角形状に形成されている。この側面部２２には、棚部を固定するための穴部が形成されている。つまり、側面部２２の下段位置に一対の穴部が設けられ、中段位置に一対の穴部が設けられ、上段位置に一対の穴部が設けられている。
【００２２】
また、背面部２４は、本体部１０の背面側を形成し、全体に縦長の長方形状を呈している。この背面部２４の高さ方向（Ｚ１−Ｚ２方向）の長さは、側面部２２及び側面部２６の高さ方向の長さと同じに形成されている。
【００２３】
また、側面部２６は、本体部１０の正面視において本体部１０の左側の側面を形成し、全体に板状を呈し、この側面部２６の背面側は垂直に立設した直線状に形成されているとともに、正面側は、その下側部においては垂直に立設した直線状を呈し、内側部においては傾斜部Ｋ１が形成され、また、上側部においては傾斜部Ｋ２が形成されている。つまり、側面部２６においては、下側部が方形状に形成され、下側部よりも上側の内側部は台形形状に形成され、内側部よりも上側の上側部は三角形状に形成されている。この側面部２６には、棚部を固定するための穴部が形成されている。つまり、側面部２６の下段位置に一対の穴部が設けられ、中段位置に一対の穴部が設けられ、上段位置に一対の穴部が設けられている。
【００２４】
また、正面部２８は、本体部１０の正面視において本体部１０の正面を形成し、全体に方形状の板状を呈している。つまり、正面部２８の高さ方向の長さは、側面部２２における下側部及び側面部２６における下側部の高さ方向の長さと同じに形成されており、また、正面部２８の横方向（Ｘ１−Ｘ２方向）の長さは、背面部２４の横方向の長さと同じに形成されている。
【００２５】
上記筒状部２０を構成する各部における一部の展開状態を説明すると、図８のように構成されている。なお、図８その他の展開状態を示す図面においては、二点鎖線は谷折りを示し、一点鎖線は山折りを示すものとする。まず、側面部２２は、その展開状態においては、１枚の段ボール材により形成され、外側側面部２２ａと、帯状部２２ｂ、２２ｅ、２２ｈと、内側側面部２２ｃと、内側側面部２２ｆと、内側側面部２２ｉと、糊代部２２ｄ、２２ｇ、２２ｊとを有している。ここで、外側側面部２２ａは、側面部２２の形状に形成され、方形状の下側部と台形状の内側部と三角形状の上側部とを合わせた形状を呈している。そして、内側側面部２２ｃ、２２ｆ、２２ｉは、帯状部を介して外側側面部２２ａと重ね合わせた際に、内側側面部２２ｃ、２２ｆ、２２ｉで丁度外側側面部２２ａの形状となるように構成されている。内側側面部２２ｃ、２２ｆ、２２ｉは帯状部を介して外側側面部２２ａ側に折曲され、この側面部２２ａに接着剤等で接着される。また、糊代部２２ｄ、２２ｇ、２２ｊは、背面部２４の正面側に接着されるものである。
【００２６】
また、背面部２４は、その展開状態においては、１枚の段ボール材により形成され、背面本体部２４ａと、背面本体部２４ａの上端から帯状部２４ｃ、２４ｅと切込み２４ｄとを介して設けられた裏側重合部２４ｂとを有している。この背面本体部２４ａは、背面部２４と同じ高さ及び幅に形成され、また、裏側重合部２４ｂは、幅は背面本体部２４ａと同じであるが、縦方向には、ポップ部１２０の脚部１２０ｂを差し込むことができるために必要な長さに短く形成されている。この裏側重合部２４ｂは、背面本体部２４ａの背面側に折曲されて接着されている。なお、背面本体部２４ａと裏側重合部２４ｂとは、接着剤又は両面接着テープ等により接着されているが、ポップ部１２０における脚部１２０ｂが挿通可能なように、脚部１２０ｂを差し込んだ際に脚部１２０ｂが存在する部分は接着しないようにする。
【００２７】
また、側面部２６は、その展開状態においては、１枚の段ボール材により形成され、側面部２２と左右対称の形状に形成されている。すなわち、側面部２６は、外側側面部２６ａと、帯状部２６ｂ、２６ｅ、２６ｈと、内側側面部２６ｃと、内側側面部２６ｆと、内側側面部２６ｉと、糊代部２６ｄ、２６ｇ、２６ｊとを有している。ここで、外側側面部２６ａは、側面部２６の形状に形成され、方形状の下側部と台形状の内側部と三角形状の上側部とを合わせた形状を呈している。そして、内側側面部２６ｃ、２６ｆ、２６ｉは、帯状部を介して外側側面部２６ａと重ね合わせた際に、内側側面部２６ｃ、２６ｆ、２６ｉで丁度外側側面部２６ａの形状となるように構成されている。内側側面部２６ｃ、２６ｆ、２６ｉは帯状部を介して外側側面部２６ａ側に折曲され、この側面部２６ａに接着剤等で接着される。また、糊代部２６ｄ、２６ｇ、２６ｊは、背面部２４の正面側に接着されるものである。
【００２８】
また、正面部２８は、正面部の形状・大きさを構成する正面本体部と、正面本体部の両側に形成された糊代部とを有し、該糊代部が、側面部２２、２６の内側に接着される。
【００２９】
また、補強部３０は、筒状を呈していて、筒状部２０を筒状に広げた際に、その筒状形状を維持するために用いられる。
【００３０】
すなわち、補強部３０は、図２に示すように、正面部３０ａと、側面部３０ｂと、側面部３０ｃと、背面部３０ｄとを有している。背面部３０ｄは、部分背面部３０ｅと部分背面部３０ｆとから構成されている。この正面部３０ａは、縦長の長方形状の板状を呈し、また、側面部３０ｂ、３０ｃは、正面部３０ａから連設され、方形状を呈している。また、部分背面部３０ｅ、３０ｆは、縦長長方形状の板状を呈し、この部分背面部３０ｅと部分背面部３０ｆとで、正面部３０ａと同じ大きさ形状となるようになっている。この補強部３０は、その展開状態において、１枚の方形状の段ボール材から形成されていて、その両端に、部分背面部３０ｅと部分背面部３０ｆが存在し、部分背面部３０ｅと部分背面部３０ｆとを突き合わせて筒状とすることにより形成されている。この補強部３０は、背面部３０ｄの背面側が背面部２４の正面側と接着して固定されている。なお、正面部３０ａと正面部２８とは固着されていない。これにより、筒状部２０を折り畳んだ場合には、補強部３０も同時に折り畳まれることになる。
【００３１】
上記構成の本体部１０は、筒状部２０も補強部３０も筒状を呈しているので、平面状に折り畳むことができる。例えば、側面部２６を背面部２４側に折り曲げるとともに、正面部２８を側面部２２側に折り曲げることにより平面状に折り畳むことができる。なお、正面部２８を側面部２６側に折り曲げるとともに、側面部２２を背面部２４側に折り曲げることにより平面状に折り畳んでもよい。
【００３２】
次に、棚部４０は、本体部１０に取り付けられるものであり、下段棚部４２と、中段棚部４４と、上段棚部４６とを有している。
【００３３】
ここで、下段棚部４２は、容器状部５０と、台部６０とを有している。この容器状部５０は、図１、図３、図５に示すように、容器状、すなわち、上部が開口した箱状を呈している。すなわち、容器状部５０は、全体に方形状をなす底部５０Ｅと、底部５０Ｅの周囲から立設した側壁部５０Ａ、５０Ｂ、５０Ｃ、５０Ｄを有している。この底部５０Ｅは、各片を組み合わせた形状を呈していて、容器状部５０は折り畳み可能となっている。
【００３４】
この容器状部５０の展開状態を示すと図９に示すように構成され、容器状部５０は、容器状部構成部５０−１と容器状部構成部５０−２とから構成され、容器状部構成部５０−１と容器状部構成部５０−２は、ともに１枚の段ボール材により形成されている。この容器状部構成部５０−１は、外側側面部５２ａと、外側側面部５２ｂと、糊代部５２ｅと、帯状部５４ａと、帯状部５４ｂと、内側側面部５６ａと、内側側面部５６ｂと、底面構成片５８ａと、底面構成片５８ｂとを有している。ここで、外側側面部５２ａと、外側側面部５２ｂと、内側側面部５６ａと、内側側面部５６ｂとは長方形状を呈し、外側側面部と内側側面部とで側壁部が二重に形成されるようになっている。なお、外側側面部５２ａと内側側面部５６ａには、穴部Ｎが設けられている。つまり、外側側面部５２ａと内側側面部５６ａには、一対の穴部Ｎが設けられてる。この穴部Ｎは、長穴状、すなわち、略トラック状に形成されている。また、底面構成片５８ａは略台形形状を呈しており、また、底面構成片５８ｂは、長方形状に切欠部Ｋ１１と切欠部Ｋ１２と切欠部Ｋ１３とを形成した形状を呈している。つまり、長方形状の左側に三角形状の切欠部Ｋ１１を形成し、下側に略台形形状の切欠部Ｋ１２を形成し、右上側の角部に三角形状の切欠部Ｋ１３を形成した形状となっている。また、底面構成部５８ｂの右上側の角部から斜めに折れ線Ｓ１が形成されている。そして、この折れ線Ｓ１を介して本体部５８ｂ−１と端部領域５８ｂ−２が形成される。
【００３５】
また、容器状部構成部５０−２は、上記容器状部構成部５０−１と同じ構成となっていて、外側側面部５２ｃと、外側側面部５２ｄと、糊代部５２ｆと、帯状部５４ｃと、帯状部５４ｄと、内側側面部５６ｃと、内側側面部５６ｄと、底面構成片５８ｃと、底面構成片５８ｄとを有している。各部の構成は上記容器状部構成部５０−１と同様であるので、詳しい説明を省略する。
【００３６】
容器状部５０を組み立てる場合には、糊代部５２ｅを外側側面部５２ｄの裏面に接着するとともに、糊代部５２ｆを外側側面部５２ｂの裏面に接着した状態とし、また、端部領域５８ｂ−２の図９における裏面を底面構成部５８ａの図９における表面のハッチング領域に接着させ、同様に、端部領域５８ｄ−２の図９における裏面を底面構成部５８ｃの図９における表面のハッチング領域に接着させ、底面構成部５８ｂにおける本体部５８ｂ−１の突状部Ｔ１を底部構成部５８ｄの上面側（つまり、図５における上面側）に挿通させ、同様に、底面構成部５８ｄにおける本体部５８ｄ−１の突状部Ｔ２を底部構成部５８ｂの上面側（つまり、図５における上面側）に挿通させて、組立てを行なう。
【００３７】
底部５０Ｅが上記のように構成されていることにより、容器状部５０を折り畳んだ状態とした際に、底部５０Ｅも折り畳んだ状態とすることができる。つまり、側壁部５０Ａを側壁部５０Ｂ側に近づけ、また、側壁部５０Ｄを側壁部５０Ｃに近づけることにより、底部５０Ｅを構成する底面構成部５８ａ、５８ｂ、５８ｃ、５８ｄが上方に立ち上がり、容器状部５０全体が折り畳んだ状態となる。
【００３８】
次に、台部６０は、容器状部５０内に設けられる部材であり、陳列される商品を背面側にやや傾斜させて置くための部材であり、図４に示すように、上面に商品を置くための載置台部６０−１を有し、該載置台部６０−１の三方には載置台部６０−１を傾斜させるための側面部が設けられている。
【００３９】
この台部６０の展開状態を示すと、図１０に示すように構成され、台部６０は、台部構成部６２と、台部構成部６４とを有し、ともに１枚の段ボール材により形成されている。ここで、台部構成部６２は、方形状の下側本体部６２ａと、下側本体部６２ａの左右に折れ線を介して設けられたテーパ状部６２ｂ、６２ｃとを有している。また、台部構成部６４は、方形状の上側本体部６４ａと、上側本体部６４ａの左右に折れ線を介して設けられたテーパ状部６４ｂ、６４ｃと、上側本体部６４ａの正面側に折れ線を介して設けられた長方形状の正面部６４ｄとを有している。そして、下側構成部６２ａの上側に上側構成部６４ａを接着等により固着させ、テーパ状部６２ｂ、６２ｃ、６４ｂ、６４ｃ及び正面部６４ｄを折り曲げることにより台部６０が形成される。上側本体部６４ａが上記載置台部６０−１を構成する。
【００４０】
そして、台部６０を容器状部５０内に設置することにより、下段棚部４２が形成される。この場合、テーパ状部６２ｂ、６２ｃ、６４ｂ、６４ｃが設けられているので、載置台部６０−１の上面は背面側に傾斜した状態となる。
【００４１】
次に、中段棚部４４について説明する。中段棚部４４は、容器状部７０と、台部８０とを有している。この容器状部７０は、図１、図３、図６に示すように、容器状、すなわち、上部が開口した箱状を呈している。すなわち、容器状部７０は、全体に方形状をなす底部７０Ｅと、底部７０Ｅの周囲から立設した側壁部７０Ａ、７０Ｂ、７０Ｃ、７０Ｄを有している。この底部７０Ｅは、各片を組み合わせた形状を呈していて、容器状部７０は折り畳み可能となっている。
【００４２】
この容器状部７０の構成は容器状部５０の構成と略同様であるので詳しい説明を省略する。つまり、容器状部７０の大きさが容器状部５０と比べて若干小さいため、容器状部７０を構成する各部の形状と大きさが、容器状部５０における各部と若干異なるが、基本的な構成は同様である。なお、容器状部７０の展開状態を示すと図１１に示すように構成され、容器状部７０は、容器状部構成部７０−１と容器状部構成部７０−２とから構成され、容器状部構成部７０−１と容器状部構成部７０−２は、ともに１枚の段ボール材により形成されている。この容器状部構成部７０−１は、外側側面部７２ａと、外側側面部７２ｂと、糊代部７２ｅと、帯状部７４ａと、帯状部７４ｂと、内側側面部７６ａと、内側側面部７６ｂと、底面構成片７８ａと、底面構成片７８ｂとを有している。この容器状部７０を構成する各部の構成は、上記容器状部５０の構成と略同様である。また、容器状部構成部７０−２は、上記容器状部構成部７０−１と同じ構成となっていて、外側側面部７２ｃと、外側側面部７２ｄと、糊代部７２ｆと、帯状部７４ｃと、帯状部７４ｄと、内側側面部７６ｃと、内側側面部７６ｄと、底面構成片７８ｃと、底面構成片７８ｄとを有している。各部の構成は上記容器状部構成部７０−１と同様であるので、詳しい説明を省略する。
【００４３】
容器状部７０の組立て状態も容器状部５０と同様であり、糊代部７２ｅを外側側面部７２ｄの裏面に接着するとともに、糊代部７２ｆを外側側面部７２ｂの裏面に接着した状態とし、また、端部領域７８ｂ−２の図１１における裏面を底面構成部７８ａの図１１における表面のハッチング領域に接着させ、同様に、端部領域７８ｄ−２の図１１における裏面を底面構成部７８ｃの図１１における表面のハッチング領域に接着させ、底面構成部７８ｂにおける本体部７８ｂ−１の突状部Ｔ１１を底部構成部７８ｄの上面側（つまり、図６における上面側）に挿通させ、同様に、底面構成部７８ｄにおける本体部７８ｄ−１の突状部Ｔ１２を底部構成部７８ｂの上面側（つまり、図６における上面側）に挿通させて、組立てを行なう。底部７０Ｅが上記のように構成されていることにより、上記容器状部５０の場合と同様に、容器状部７０を折り畳んだ状態とした際に、底部７０Ｅも折り畳んだ状態とすることができる。
【００４４】
次に、台部８０は、容器状部７０内に設けられる部材であり、陳列される商品を背面側にやや傾斜させて置くための部材であり、図４に示すように、上面に商品を置くための載置台部８０−１を有し、該載置台部８０−１の三方には載置台部８０−１を傾斜させるための側面部が設けられている。
【００４５】
この台部８０の構成は台部６０の構成と略同様であるので詳しい説明を省略する。つまり、台部８０の大きさが台部６０と比べて若干小さいため、台部８０を構成する各部の形状と大きさが、台部６０における各部と若干異なるが、基本的な構成は同様である。なお、この台部８０の展開状態を示すと、図１２に示すように構成され、台部８０は、台部構成部８２と、台部構成部８４とを有し、ともに１枚の段ボール材により形成されている。ここで、台部構成部８２は、方形状の下側本体部８２ａと、下側本体部８２ａの左右に折れ線を介して設けられたテーパ状部８２ｂ、８２ｃとを有している。また、台部構成部８４は、方形状の上側本体部８４ａと、上側本体部８４ａの左右に折れ線を介して設けられたテーパ状部８４ｂ、８４ｃと、上側本体部８４ａの正面側に折れ線を介して設けられた長方形状の正面部８４ｄとを有している。そして、下側構成部８２ａの上側に上側構成部８４ａを接着等により固着させ、テーパ状部８２ｂ、８２ｃ、８４ｂ、８４ｃ及び正面部８４ｄを折り曲げることにより台部８０が形成される。上側本体部８４ａが上記載置台部８０−１を構成する。そして、台部８０を容器状部７０内に設置することにより、中段棚部４４が形成される。この場合、テーパ状部８２ｂ、８２ｃ、８４ｂ、８４ｃが設けられているので、載置台部８０−１の上面は背面側に傾斜した状態となる。
【００４６】
次に、上段棚部４６について説明する。上段棚部４６は、容器状部９０と、台部１００とを有している。この容器状部９０は、図１、図３、図７に示すように、容器状、すなわち、上部が開口した箱状を呈している。すなわち、容器状部９０は、全体に方形状をなす底部９０Ｅと、底部９０Ｅの周囲から立設した側壁部９０Ａ、９０Ｂ、９０Ｃ、９０Ｄを有している。この底部９０Ｅは、各片を組み合わせた形状を呈していて、容器状部９０は折り畳み可能となっている。
【００４７】
この容器状部９０の構成は容器状部５０や容器状部７０の構成と略同様であるので詳しい説明を省略する。つまり、容器状部９０の大きさが容器状部７０と比べて若干小さいため、容器状部９０を構成する各部の形状と大きさが、容器状部７０における各部と若干異なるが、基本的な構成は同様である。なお、容器状部９０の展開状態を示すと図１３に示すように構成され、容器状部９０は、容器状部構成部９０−１と容器状部構成部９０−２とから構成され、容器状部構成部９０−１と容器状部構成部９０−２は、ともに１枚の段ボール材により形成されている。この容器状部構成部９０−１は、外側側面部９２ａと、外側側面部９２ｂと、糊代部９２ｅと、帯状部９４ａと、帯状部９４ｂと、内側側面部９６ａと、内側側面部９６ｂと、底面構成片９８ａと、底面構成片９８ｂとを有している。この容器状部９０を構成する各部の構成は、上記容器状部７０の構成と略同様である。また、容器状部構成部９０−２は、上記容器状部構成部９０−１と同じ構成となっていて、外側側面部９２ｃと、外側側面部９２ｄと、糊代部９２ｆと、帯状部９４ｃと、帯状部９４ｄと、内側側面部９６ｃと、内側側面部９６ｄと、底面構成片９８ｃと、底面構成片９８ｄとを有している。各部の構成は上記容器状部構成部９０−１と同様であるので、詳しい説明を省略する。
【００４８】
容器状部９０を組立て状態も容器状部５０や容器状部７０と同様であり、糊代部９２ｅを外側側面部９２ｄの裏面に接着するとともに、糊代部９２ｆを外側側面部９２ｂの裏面に接着した状態とし、また、端部領域９８ｂ−２の図１３における裏面を底面構成部９８ａの図１３における表面のハッチング領域に接着させ、同様に、端部領域９８ｄ−２の図１３における裏面を底面構成部９８ｃの図１３における表面のハッチング領域に接着させ、底面構成部９８ｂにおける本体部９８ｂ−１の突状部Ｔ２１を底部構成部９８ｄの上面側（つまり、図７における上面側）に挿通させ、同様に、底面構成部９８ｄにおける本体部９８ｄ−１の突状部Ｔ２２を底部構成部９８ｂの上面側（つまり、図７における上面側）に挿通させて、組立てを行なう。底部９０Ｅが上記のように構成されていることにより、上記容器状部５０、７０の場合と同様に、容器状部９０を折り畳んだ状態とした際に、底部９０Ｅも折り畳んだ状態とすることができる。
【００４９】
次に、台部１００は、容器状部９０内に設けられる部材であり、陳列される商品を背面側にやや傾斜させて置くための部材であり、図４に示すように、上面に商品を置くための載置台部１００−１を有している。この台部１００は、１枚の段ボール材により構成されている。
【００５０】
この台部１００の展開状態を示すと、図１４に示すように構成され、本体部１００ａと、正面部１００ｂと、底面部１００ｃと、背面部１００ｄと、裏側部１００ｅと、テーパ状部１００ｆ、１００ｇ、１００ｈ、１００ｉとを有している。裏面部１００ｅは背面部１００ｄの裏側に折り曲げて接着して固定しておく。この台部１００を図４に示すように折り曲げて、容器状部９０に設置する。この場合、テーパ状部１００ｆ、１００ｇ、１００ｈ、１００ｉが設けられているので、載置台部１００−１の上面は背面側に傾斜した状態となる。また、台部１００には、背面部１００ｄが設けられているので、商品をこの背面部１００ｄにもたれかけておくことができる。
【００５１】
上記容器状部５０、７０、９０は、本体部１０に取り付けられているが、図１５に示すような取付け部材２００を用いて取り付けられている。つまり、取付け部材２００は、雄側部２１０と雌側部２２０とを有していて、雄側部２１０は、円形板状の頭部２１２と、該頭部２１２の中心から垂直に突出したネジ部２１４とを有している。また、雌側部２２０は、リング状の板状を呈し、溝部２２２ａが設けられた頭部２２２と、該頭部２２２から連設された円筒状部２２４とを有し、円筒状部２２４の内側にはネジ溝が形成されている。そして、雄側部２１０のネジ部２１４は、雌側部２２０の円筒状部２２４内に螺着するようになっている。
【００５２】
次に、ポップ部１２０について説明する。ポップ部１２０は、全体に凸条形状を上下逆様にした板状形状を呈していて、本体部１２０ａと、脚部１２０ｂとを有している。つまり、本体部１２０ａは、略長方形状を呈し、また、脚部１２０ｂは、本体部１２０ａの下端中央から下方に突出した板状形状を呈している。この脚部１２０ｂの幅は、背面部２４における切込み２４ｄの長さよりも若干短く形成され、この切込み２４ｄを通して差込み可能に形成されている。このポップ部１２０の本体部１２０ａには、広告・宣伝や、陳列される商品の商品名等を表示して使用する。
【００５３】
上記構成の使用状態について説明する。商品陳列棚Ａを構成する各部材を分解した状態で保管又は運搬する場合には、本体部１０や、棚部４０を構成する下段棚部４２、中段棚部４４、上段棚部４６は、折り畳むことができ、上記各台部６０、８０、１００も平面状にすることができ、さらに、ポップ部１２０も板状であることから、全体に省スペースで保管や運搬を行うことができる。
【００５４】
次に、商品陳列棚Ａを組み立てる場合には、以下のようにして行う。すなわち、本体部１０を組み立てるとともに、棚部４０を構成する容器状部５０と容器状部７０と容器状部９０とを組み立て、組み立てた各容器状部を本体部１０に取り付けた後に、各容器状部に台部をはめ込んで、棚部４０を本体部１０に取り付けるとともに、ポップ部１２０を本体部１０に差し込んで組立てを行なう。
【００５５】
商品陳列棚Ａの組立てについてさらに詳しく説明すると、本体部１０の組立てに当たっては、筒状部２０を筒状に広げるとともに、補強部３０も筒状に広げて、図２に示すような状態にする。なお、補強部３０における正面部３０ａと正面部２８とが重なり合うように配置することにより、筒状部２０の筒状状態を保っておくことができる。また、後述するように、台部を容器状部内に配設することにより、容器状部５０、７０、９０が容器状に保たれるので、これによっても、本体部１０が筒状に保たれる。
【００５６】
また、棚部４０を構成する各容器状部も折り畳んだ状態から容器状に形成する。つまり、各容器状部５０、７０、９０は折り畳んだ状態では各容器状部の底部は折曲した状態となっているので、この底部を平面状にすることにより、各容器状部は容器状に組み立てられる。
【００５７】
各容器状部を容器状に形成したら、各容器状部を本体部１０に取り付ける。つまり、各容器状部を取付け部材２００を用いて本体部１０に取り付けて、図３に示す状態にする。すなわち、下段棚部４２を構成する容器状部５０を下段位置の穴部に取り付け、中段棚部４４を構成する容器状部７０を中段位置の穴部に取り付け、上段棚部４６を構成する容器状部９０を上段位置の穴部に取り付ける。
【００５８】
以上のように、容器状部５０、７０、９０を本体部１０に取り付けたら、図４に示すように、各台部を容器状部内に設置する。つまり、台部６０を容器状部５０内に設置し、台部８０を容器状部７０内に設置し、さらに、台部１００を容器状部９０内に設置する。
【００５９】
また、図４に示すように、本体部１０の上端にポップ部１２０を差し込んで取り付ける。以上のようにして、商品陳列棚Ａを組み立てる。
【００６０】
上記のように商品陳列棚Ａの組立てが完了したら、陳列する商品を各棚部に陳列して使用する。つまり、下段棚部４２と中段棚部４４と上段棚部４６に商品を陳列する。特に、本実施例の商品陳列棚は、販売促進用の商品の陳列に使用するのが好ましい。
【００６１】
また、上記のように組み立てた状態の商品陳列棚Ａを保管又は運搬する場合には、本体部１０が折り畳み可能であり、また、容器状部５０、７０、９０が折り畳み可能であるので、台部６０、８０、１００を外した状態とすれば折り畳むことが可能となる。つまり、組み立てた状態の商品陳列棚Ａから台部４２、４４、４６を各台部が収納されている容器状部から取り外して、本体部１０の側面部２６を背面部２４側に折り曲げるとともに、正面部２８を側面部２２側に折り曲げることにより、筒状部２０が折り畳んだ状態となるとともに、筒状部２０の内部の補強部３０も折り畳んだ状態となるので、本体部１０自身を折り畳むことができるとともに、容器状部５０、７０、９０も折り畳むことができるので、容器状部５０、７０、９０を本体部１０に取り付けた状態で折り畳み可能であり、容器状部５０、７０、９０を本体部１０から取り外す必要なく折り畳むことができるので、保管や運搬が容易である。なお、上記のように本体部１０に容器状部５０、７０、９０を取り付けたままの状態で折り畳む場合には、ポップ部１２０を本体部１０から取り外した状態としておくことが好ましい。
【００６２】
なお、容器状部５０、７０、９０の各容器状部において、外側側面部と内側側面部間の帯状部分の幅が小さく形成されていることから、各容器状部における側壁部の厚みも薄く形成されているので、容器状部５０、７０、９０を取り付けた状態で本体部１０を折り畳んだ場合でも本体部１０の折り畳み状態を薄くすることができる。また、容器状部５０、７０、９０に設けられた穴部Ｎは長穴状に形成されているので、容器状部５０、７０、９０を取り付けた状態で本体部１０を折り畳んだ場合でもスムーズに折り畳むことが可能となる。
【００６３】
なお、商品陳列棚Ａの保管や運搬に当たり、商品陳列棚Ａを構成する各部を分解して保管や運搬を行ってもよい。
【００６４】
以上のように、商品陳列棚Ａにおいては、商品陳列棚Ａを分解した場合には、本体部１０と、容器状部５０、７０、９０と、台部６０、８０、１００と、ポップ部１２０とに分かれているのみであって部品点数が少なく、また、その組立て工数も少なく、また、組立て操作も容易であるので、極めて短時間で容易に組立てを行なうことが可能となる。よって、容易に正しく組み立てることができ、正しく組み立てることができない場合の強度不足の問題等の問題は生じない。特に、容易に組み立てることができるので、組立て用の説明図を基本的に用意することなく正しく組み立てることができる。
【００６５】
また、上記のように、台部６０、８０、１００を取り外すのみで、容器状部５０、７０、９０を本体部１０に取り付けたままで折り畳むことができるので、容器状部５０、７０、９０を本体部１０から取り外すことなく、折り畳んで保管や運搬を行うことができる。
【図面の簡単な説明】
【００６６】
【図１】本考案の商品陳列棚の構成を示す斜視図である。
【図２】商品陳列棚の本体部の構成を示す斜視図である。
【図３】本体部に容器状部を取り付けた状態を示す斜視図である。
【図４】商品陳列棚の組立て工程を説明するための説明図である。
【図５】下段棚部を構成する容器状部の構成を示す斜視図である。
【図６】中段棚部を構成する容器状部の構成を示す斜視図である。
【図７】下段棚部を構成する容器状部の構成を示す斜視図である。
【図８】本体部の筒状部を構成する部材の展開状態を示す平面図である。
【図９】下段棚部を構成する容器状部を構成する部材の展開状態とその接着状態を示す平面図である。
【図１０】下段棚部を構成する台部を構成する部材の展開状態とその接着状態を示す平面図である。
【図１１】中段棚部を構成する容器状部を構成する部材の展開状態とその接着状態を示す平面図である。
【図１２】中段棚部を構成する台部を構成する部材の展開状態とその接着状態を示す平面図である。
【図１３】上段棚部を構成する容器状部を構成する部材の展開状態とその接着状態を示す平面図である。
【図１４】上段棚部を構成する台部を構成する部材の展開状態を示す平面図である。
【図１５】取付け部材の構成を示す分解斜視図である。
【符号の説明】
【００６７】
Ａ  商品陳列棚
１０  本体部
２０  筒状部
２２、２６  側面部
２４  背面部
２８  正面部
３０  補強部
４０  棚部
４２  下段棚部
４４  中段棚部
４６  上段端部
５０、７０、９０  容器状部
６０、８０、１００  台部
１２０  ポップ部
【図１】
0003106807.tif 000003
【図２】
0003106807.tif 000004
【図３】
0003106807.tif 000005
【図４】
0003106807.tif 000006
【図５】
0003106807.tif 000007
【図６】
0003106807.tif 000008
【図７】
0003106807.tif 000009
【図８】
0003106807.tif 000010
【図９】
0003106807.tif 000011
【図１０】
0003106807.tif 000012
【図１１】
0003106807.tif 000013
【図１２】
0003106807.tif 000014
【図１３】
0003106807.tif 000015
【図１４】
0003106807.tif 000016
【図１５】
0003106807.tif 000017